(57)【要約】【課題】写真を容易に見ることができる装身具を提供する。【解決手段】貫通孔１Ａを有する環状の外枠部材１と、外枠部材１の貫通方向一端部に取り付けられ、外枠部材１の内部が視認可能な透明部材からなる第１カバー部材２と、外枠部材１の貫通方向他端部に取り付けられ、外枠部材１の内部が視認可能な透明部材からなる第２カバー部材３と、を備え、第１カバー部材２の内面２Ａと第２カバー部材３の内面との間に、少なくとも１枚の写真を収容するための空間７を設け、空間７に収容されている１枚の写真を第１カバー部材２を通して視認するか、又は第２カバー部材３を通して視認することができるように、１枚の写真を空間７内に配置した。【選択図】  図４
0003210346.tif 000002
【実用新案登録請求の範囲】
【請求項１】
貫通孔を有する環状の外枠部材と、該外枠部材の貫通方向一端部に取り付けられ、該外枠部材の内部が視認可能な透明又は半透明部材からなる第１カバー部材と、前記外枠部材の貫通方向他端部に取り付けられ、該外枠部材の内部が視認可能な透明又は半透明部材からなる第２カバー部材と、を備え、前記第１カバー部材の内面と前記第２カバー部材の内面との間に、少なくとも１枚の写真を収容するための空間を設け、該空間に収容されている１枚の写真を前記第１カバー部材を通して視認するか、又は前記第２カバー部材を通して視認することができるように、該１枚の写真を前記空間内に配置していることを特徴とする装身具。
【請求項２】
前記第１カバー部材及び前記第２カバー部材のうちの一方が、透明又は半透明な天然石又は宝石から構成されていることを特徴とする請求項１に記載の装身具。
【請求項３】
前記外枠部材が、貫通方向視において一部の辺又は全ての辺の長さが異なる多角形状に構成されていることを特徴とする請求項１又は２に記載の装身具。
【請求項４】
前記第１カバー部材及び前記第２カバー部材のうちの一方が、前記外枠部材に固定され、他方が前記外枠部材に着脱自在に取り付けられていることを特徴とする請求項１〜３のいずれか１項に記載の装身具。
【請求項５】
前記空間が、複数枚の写真を収容可能な大きさに構成され、該空間に収容されている複数枚の写真のうち、１枚の写真を前記第１カバー部材を通して視認することができるように、かつ、前記１枚の写真とは別の１枚の写真を前記第２カバー部材を通して視認することができるように、該複数枚の写真を前記空間内に配置していることを特徴とする請求項１〜４のいずれか１項に記載の装身具。
【請求項６】
前記外枠部材に、首にかけるチェーンが取り付けられてペンダントに構成されている請求項１〜５のいずれか１項に記載の装身具。
【考案の詳細な説明】
【技術分野】
【０００１】
本考案は、人間の身体に着装する装飾品としての装身具に関し、具体的には、写真を収容することができる装身具に関する。
【背景技術】
【０００２】
かかる装身具としては、表側に位置する第１部材と裏側に位置する第２部材とを前後方向で重ね合わせるとともに、前後軸芯回りで第１部材と第２部材とが互いに回動するように２つの部材を連結し、第１部材及び第２部材のうちの一方に写真を収容することができる凹部を備え、第１部材と第２部材とを首から吊り下げるためのチェーンを備えて構成されるペンダントが既に提案されている（例えば、特許文献１参照）。
【０００３】
上記ペンダントは、第１部材と第２部材とを互いに離反する方向に回動させることによって、開放して露出した凹部内に写真を収容し、収容後に第１部材と第２部材とを接近する方向に回動することによって、閉じて収容した写真を第１部材と第２部材とで保持するようにしている。
【先行技術文献】
【特許文献】
【０００４】
【特許文献１】登録実用新案第３０２６８１３号公報
【考案の概要】
【考案が解決しようとする課題】
【０００５】
上記ペンダントでは、収容された写真を見る場合には、第１部材と第２部材とが互いに離反する方向に回動させて開放しなければならないだけでなく、写真を見終わった後は、第１部材と第２部材とを接近する方向に回動させて閉じなければならず、非常に手間がかかり、早期改善が要望されている。
【０００６】
そこで、本考案は、かかる事情に鑑みてなされたもので、写真を容易に見ることができる装身具を提供することを課題とする。
【課題を解決するための手段】
【０００７】
本考案に係る装身具は、貫通孔を有する環状の外枠部材と、該外枠部材の貫通方向一端部に取り付けられ、該外枠部材の内部が視認可能な透明又は半透明部材からなる第１カバー部材と、前記外枠部材の貫通方向他端部に取り付けられ、該外枠部材の内部が視認可能な透明又は半透明部材からなる第２カバー部材と、を備え、前記第１カバー部材の内面と前記第２カバー部材の内面との間に、少なくとも１枚の写真を収容するための空間を設け、該空間に収容されている１枚の写真を前記第１カバー部材を通して視認するか、又は前記第２カバー部材を通して視認することができるように、該１枚の写真を前記空間内に配置していることを特徴とする。
【０００８】
本考案によれば、第１カバー部材の内面と前記第２カバー部材の内面との間の空間に、少なくとも１枚の写真を収容することによって、外枠部材の向きを所定の向きに変更するだけで、透明又は半透明部材からなる第１カバー部材又は第２カバー部材を通して写真を視認する（見る）ことができる。写真を見た後は、第１カバー部材及び第２カバー部材で写真を収容する空間が閉じられたままであるので、特別な操作を行う必要がない。
【０００９】
また、本考案に係る装身具は、前記第１カバー部材及び前記第２カバー部材のうちの一方が、透明又は半透明な天然石又は宝石から構成されていてもよい。
【００１０】
上記のように、第１カバー部材及び第２カバー部材のうちの一方が、透明又は半透明な天然石又は宝石から構成されていることによって、高級感を高めることができる。
【００１１】
また、本考案に係る装身具は、前記外枠部材が、貫通方向視において一部の辺又は全ての辺の長さが異なる多角形状に構成されていてもよい。
【００１２】
上記のように、外枠部材が、貫通方向視において一部の辺又は全ての辺の長さが異なる多角形状に構成されていることによって、デザイン性を高めることができる。
【００１３】
また、本考案に係る装身具は、前記第１カバー部材及び前記第２カバー部材のうちの一方が、前記外枠部材に固定され、他方が前記外枠部材に着脱自在に取り付けられていてもよい。
【００１４】
上記のように、他方のカバー部材が前記外枠部材に着脱自在に取り付けられていることによって、他方のカバー部材を取り外して、写真を交換することができる。
【００１５】
また、本考案に係る装身具は、前記空間が、複数枚の写真を収容可能な大きさに構成され、該空間に収容されている複数枚の写真のうち、１枚の写真を前記第１カバー部材を通して視認することができるように、かつ、前記１枚の写真とは別の１枚の写真を前記第２カバー部材を通して視認することができるように、該複数枚の写真を前記空間内に配置していてもよい。
【００１６】
上記のように、空間が、複数枚の写真を収容可能な大きさに構成されているので、複数枚の写真のうちの１枚の写真を第１カバー部材を通して視認し、別の１枚の写真を第２カバー部材を通して視認することができる。
【００１７】
また、本考案に係る装身具は、前記外枠部材に、首にかけるチェーンが取り付けられてペンダントに構成されていてもよい。
【考案の効果】
【００１８】
以上の如く、本考案によれば、外枠部材の向きを所定の向きに変更するだけで、外枠部材内の写真を見ることができるので、開放操作を必要とする構成に比べて、写真を容易に見ることができる装身具を提供することができる。
【図面の簡単な説明】
【００１９】
【図１】本考案の装身具であるペンダントの斜視図である。
【図２】同ペンダントの正面図である。
【図３】同ペンダントの背面図である。
【図４】図２におけるＩＶ−ＩＶ線断面図である。
【図５】同ペンダントの分解斜視図である。
【図６】他の実施形態のペンダントの正面図である。
【考案を実施するための形態】
【００２０】
以下、本考案に係る装身具の一実施形態について、図面に基づいて説明する。
【００２１】
装身具は、図１〜図５に示すように、貫通孔１Ａを有する環状の外枠部材１と、外枠部材１の貫通方向一端部に取り付けられ、外枠部材１の内部が視認可能な透明部材（又は半透明部材でもよい）からなる第１カバー部材２と、外枠部材１の貫通方向他端部に取り付けられ、外枠部材１の内部が視認可能な透明部材（又は半透明部材でもよい）からなる第２カバー部材３と、首にかけるチェーン４と、を備えたペンダントＰに構成されている。
【００２２】
また、第１カバー部材２の内面２Ａと第２カバー部材３の内面３Ａとの間に、少なくとも１枚（図４では２枚）の写真５，６を収容するための空間７を設け、空間７に収容されている１枚の写真５を第１カバー部材２を通して視認することができるように、かつ、別のもう１枚の写真６を第２カバー部材３を通して視認することができるように、２枚の写真５，６を空間７内に配置している。
【００２３】
外枠部材１は、金属製の板状部材からなり、貫通方向視において全ての辺（又は一部の辺でもよい）の長さが異なる７角形状に構成されている。このように、外枠部材１を、貫通方向視において全ての辺（又は一部の辺でもよい）の長さが異なる多角形状に構成することによって、デザイン性を高めることができる。外枠部材１の前端部には、第１カバー部材２の外周縁から前方に延びる傾斜面２Ｓに当接する当接部１Ｔを備えている。また、外枠部材１の貫通方向中間部に、全周に亘って内側に突出する断面形状矩形状の凸条１Ｘを備えている。この凸条１Ｘの前端面１ａに第１カバー部材２の内面（後面）２Ａの外周縁が当接し、かつ、外枠部材１の当接部１Ｔが第１カバー部材２の傾斜面２Ｓに当接することによって、第１カバー部材２が外枠部材１の貫通方向一端部（前端部）に位置決め固定されている。
【００２４】
第１カバー部材２の外形が、外枠部材１の内側に周方向に沿って形成される７つの内面に嵌合する７つの外面を有する７角形状のカバー本体２ａと、このカバー本体２ａの７つの外面の前端から前方に突出し、かつ、前方に向かうほど中心側に位置する７つの傾斜面を有する突出部２ｂと、を備えている。また、第１カバー部材２は、透明な（又は半透明でもよい）天然石（又は宝石でもよい）から構成されている。天然石としては、水晶（クォーツ）、イエローオパール、ルビー等が挙げられる。また、宝石としては、ダイヤモンド、エメラルド、ホワイトサファイア、ムーンストーン等が挙げられる。このように、第１カバー部材２を、透明又は半透明な天然石又は宝石から構成することによって、高級感を高めることができる。尚、第２カバー部材３も同様に透明又は半透明な天然石又は宝石から構成してもよい。
【００２５】
第２カバー部材３は、外枠部材１の７つの内面に嵌合する７つの外面を有する７角形状に構成されている。また、第２カバー部材３の内面（前面）３Ａと、外枠部材１の凸条１Ｘの後端面１ｂとの間に、２枚の写真５，６を収容するための空間７が形成されている。従って、２枚の写真５，６を入れてから、第２カバー部材３を外枠部材１の後方から内嵌することによって、第２カバー部材３を外枠部材１に嵌合固定することができるとともに、第２カバー部材３の内面３Ａと外枠部材１の凸条１Ｘの後端面１ｂとの間で２枚の写真５，６を位置決め保持することができる。また、第２カバー部材３を外枠部材１から取り外すことにより、写真５，６を取り出して他の写真に交換することができる。尚、写真５，６が７角形状の空間７に入るように空間７と同じ７角形状の外形に切断されている。また、写真は、どのような写真を収容してもよい。例えば、ペンダントＰを装着する装着者の子供時代の写真５（図５参照）と装着者の家族の写真とを選択してもよいし、装着者のお気に入りの写真を２枚選択して収容することもできる。
【００２６】
２枚の写真５，６を外枠部材１の空間７内に収容するには、図５に示すように、まず２枚の写真５，６のうちの第１カバー部材２を通して見る写真５を画像側が前方側（第１カバー部材２側）に向いた状態となるように配置し、第２カバー部材３を通して見る写真６を画像側が後方側（第２カバー部材３側）に向いた状態になるように配置する。その配置した状態で外枠部材１の空間７内に２枚の写真５，６を収容する。収容後に、第２カバー部材３を外枠部材１に後方側から内嵌して固定する。このように構成されたペンダントＰを装着した状態において、外枠部材１の向きを装着者の目線に合致するように所定の向きに変更するだけで、第１カバー部材２を通して収容された１枚の写真５を見ることができる。又は外枠部材１の向きを１８０度反転させることによって、第２カバー部材３を通して別の１枚の写真６を見ることができる。尚、写真を見た後は、第１カバー部材２及び第２カバー部材３で２枚の写真５，６を収容する空間７が閉じられたままであるので、特別な操作を行う必要がない。要するに、外枠部材１から手を離すだけで首に掛けた状態に戻すことができる。
【００２７】
チェーン４は、図１に示すように、外枠部材１の上部の外面に固定された金属製のリング部８，９にそれぞれ連結されたチェーン部１０，１１と、２つのチェーン部１０，１１を連結するための連結部１２と、を備えている。連結部１２は、一方（図１では右側）のチェーン部１１の一端（図１では上端）に連結された円形の第１リング部１３と、他方（図１では左側）のチェーン部１０の一端（図１では上端）に移動可能に外挿される中心部に貫通孔が形成された球状体１４と、第１リング部１３に連結されたプレート１５と球状体１４に連結された円形の第２リング部１６とを連結する開閉自在な引き輪１７と、球状体１４がチェーン部１０の一端（図１では上端）から抜けてしまうことを阻止するストッパーとしての第３リング部１８と、を備えている。
【００２８】
尚、本考案は、前記実施形態に限定されるものではなく、本考案の要旨を逸脱しない範囲で種々の変更が可能である。
【００２９】
前記実施形態では、外枠部材１を、貫通方向視において全ての辺の長さが異なる７角形状に構成したが、７角形状以外の多角形状は勿論のこと、円形状や楕円形等、どのような形状に構成してもよい。例えば、図６に、図１の７角形状の外枠部材１とは異なる形状及び大きさの（図２の外枠部材１よりも小さい大きさに構成された）外枠部材２０と、第１カバー部材２１と、を備える７角形状のペンダントＰを示している。尚、説明しなかった他の部分は、図１と同一構成である。
【００３０】
また、前記実施形態では、２枚の写真５，６を収容可能な構成であったが、３枚以上の写真を収容して、例えば見たい写真を定期的に変更するようにしてもよい。また、１枚の写真だけ収容してもよい。この場合、第１カバー部材２を通して写真を見てもよいし、第２カバー部材３を通して写真を見るように写真を配置することができる。
【００３１】
また、前記実施形態では、第１カバー部材２を、透明又は半透明な天然石又は宝石から構成したが、硝子材やプラスチック材で構成して安価なペンダントに構成してもよい。
【００３２】
また、前記実施形態では、第１カバー部材２を外枠部材１から前方に突出する構成であったが、外枠部材１から前方に突出しない形状に第１カバー部材２を構成してもよい。
【００３３】
また、前記実施形態では、第２カバー部材３を外枠部材１に嵌合により着脱自在に構成したが、係止及び係止解除自在な係止機構により第２カバー部材３を外枠部材１に着脱自在に構成してもよい。また、第２カバー部材３を縦軸芯又は水平軸芯回りで揺動自在に構成して実施してもよい。また、第２カバー部材３を外枠部材１に取り外し不能に各種の固定手段を用いて固定してもよい。尚、第１カバー部材２も第２カバー部材３と同様に構成して実施することもできる。
【００３４】
また、前記実施形態では、装身具の一例としてペンダントＰを挙げて説明したが、ブローチやブレスレット等であってもよい。
【符号の説明】
【００３５】
１…外枠部材、１Ａ…貫通孔、１Ｔ…当接部、１Ｘ…凸条、１ａ…前端面、１ｂ…後端面、２…第１カバー部材、２Ａ…内面、２Ｓ…傾斜面、２ａ…カバー本体、２ｂ…突出部、３…第２カバー部材、３Ａ…内面、４…チェーン、５，６…写真、７…空間、８，９…リング部、１０，１１…チェーン部、１２…連結部、１３…第１リング部、１４…球状体、１５…プレート、１６…第２リング部、１７…引き輪、１８…第３リング部、２０…外枠部材、２１…第１カバー部材、Ｐ…ペンダント
【図１】
0003210346.tif 000003
【図２】
0003210346.tif 000004
【図３】
0003210346.tif 000005
【図４】
0003210346.tif 000006
【図５】
0003210346.tif 000007
【図６】
0003210346.tif 000008